(57)【要約】【課題】水平方向を所定数の空間に区画できるとともに、垂直方向にも多段に区画可能な汎用性のある仕切材を提供する。【解決手段】外周部を囲繞する周壁２と、周壁２の底を閉塞する底壁３と、を備えた外箱１の内部を複数の収容空間に区画する仕切材１０であって、貫通孔１２を有する第１水平仕切部１１と、第１水平仕切部１１に連設した連続部１３Ａ，１３Ｂと、連続部１３Ａ，１３Ｂに連設した第２水平仕切部１５Ａ，１５Ｂと、第２水平仕切部１５Ａ，１５Ｂに一部が連続して他部が分断されるように設けられ、第１水平仕切部１１から突出する第１凸部２１、および、第２水平仕切部１５から突出する第２凸部２２を有する垂直仕切部１７Ａ，１７Ｂと、を備え、第１凸部２１または第２凸部２２が外箱１の底壁３に当接するように配置することにより、外箱１内を水平方向と垂直方向に区画する。【選択図】図１
2008150055.tif 000002
【特許請求の範囲】
【請求項１】
外周部を囲繞する周壁と、該周壁の底を閉塞する底壁と、を備えた外箱の内部を複数の収容空間に区画する仕切材であって、
所定位置に貫通孔を有し、組付状態で前記外箱の底壁に対して略平行に延びる第１水平仕切部と、
前記第１水平仕切部の少なくとも一側に連設し、組付状態で前記外箱の周壁に沿って略垂直方向に延びる連続部と、
前記連続部の一側に連設し、組付状態で前記第１水平仕切部に対して所定間隔をもって略平行に延びる第２水平仕切部と、
前記第２水平仕切部に一部が連続して他部が分断されるように設けられ、前記第１水平仕切部の貫通孔を貫通して該第１水平仕切部から突出する第１凸部、および、該第１凸部と反対側に位置するように前記第２水平仕切部から突出する第２凸部を有する垂直仕切部と、
を備え、前記第１凸部または第２凸部が前記外箱の底壁に当接するように配置することにより、該外箱内を水平方向と垂直方向に区画可能としたことを特徴とする仕切材。
【請求項２】
前記連続部を、前記第１水平仕切部の両側に連設するとともに、前記垂直仕切部を、一対の前記連続部の一側にそれぞれ連設し、
組付状態で一対の前記垂直仕切部を１つの前記貫通孔に貫通させることにより、これら垂直仕切部間に垂直方向に延びる空間を更に区画したことを特徴とする請求項１に記載の仕切材。
【請求項３】
前記垂直仕切部に通気孔を更に設けたことを特徴とする請求項２に記載の仕切材。
【請求項４】
前記外箱の底壁の側に位置する前記第１または第２水平仕切部の両端に、前記底壁上に載置する枠部を更に連設したことを特徴とする請求項１乃至請求項３のいずれか１項に記載の仕切材。
【発明の詳細な説明】
【技術分野】
【０００１】
本発明は、外箱内を複数の空間に区画して複数の商品を収容させる仕切材に関するものである。
【背景技術】
【０００２】
この種の仕切材は、短冊状をなす複数の仕切板を平面視で格子状をなすように噛み合わせ、外箱の内部に配置することにより、該外箱内を複数の収容空間に区画するものである。また、外箱の内部を垂直方向に更に区画する場合には、前記仕切材の上に板状をなす隔板を更に配設し、この隔板上に同様の仕切材を配設する。
【０００３】
しかし、このように複数の仕切板および隔板を用いる仕切構造は、組付作業性が非常に悪いうえ、保管する際の管理が非常に面倒である。そのため、一枚のブランクによって幅や奥行きなどの水平方向を区画し、更に垂直方向にも区画可能な仕切材が望まれる。
【０００４】
本発明の仕切材に関連する先行技術文献情報としては次のものがある。
【０００５】
【特許文献１】実開昭５１−６０９７９号公報
【０００６】
この特許文献には、一対の電子管を収容するために、下部に緩衝空間を形成し、その上方を水平方向に区画して一対の収容空間を形成できるようにした仕切材が記載されている。具体的には、この仕切材は、外箱の底に載置される中央の底板部と、該底板部の両側から屈曲して垂直に延びる側板部と、これら側板部の上端から屈曲して中央に向けて水平に延びる頂板部と、これら頂板部から屈曲して垂直方向に延びる仕切板部とを備えている。
【０００７】
この仕切材は、連続した一枚のブランクからなるため、保管する際の管理が容易である。また、電子管を区画して収容する目的から、下部は緩衝空間としているが、この緩衝空間は、所定の商品を収容させるための収容空間としても使用できる。
【０００８】
しかしながら、この仕切材は、垂直方向を２段にしか区画できないうえ、１段目は水平方向に区画できず、連続した広い空間しか設けることができない。そのため、複数の商品を水平方向に区画し、かつ、垂直方向に多段に区画して、大きさが異なる種々の商品を適宜区画して収容するような汎用性を具備させることはできない。
【発明の開示】
【発明が解決しようとする課題】
【０００９】
本発明は、従来の問題に鑑みてなされたもので、水平方向を所定数の空間に区画できるとともに、垂直方向にも多段に区画可能な汎用性のある仕切材を提供することを課題とするものである。
【課題を解決するための手段】
【００１０】
前記課題を解決するため、本発明の仕切材は、外周部を囲繞する周壁と、該周壁の底を閉塞する底壁と、を備えた外箱の内部を複数の収容空間に区画する仕切材であって、
所定位置に貫通孔を有し、組付状態で前記外箱の底壁に対して略平行に延びる第１水平仕切部と、前記第１水平仕切部の少なくとも一側に連設し、組付状態で前記外箱の周壁に沿って略垂直方向に延びる連続部と、前記連続部の一側に連設し、組付状態で前記第１水平仕切部に対して所定間隔をもって略平行に延びる第２水平仕切部と、前記第２水平仕切部に一部が連続して他部が分断されるように設けられ、前記第１水平仕切部の貫通孔を貫通して該第１水平仕切部から突出する第１凸部、および、該第１凸部と反対側に位置するように前記第２水平仕切部から突出する第２凸部を有する垂直仕切部と、を備え、前記第１凸部または第２凸部が前記外箱の底壁に当接するように配置することにより、該外箱内を水平方向と垂直方向に区画可能な構成としている。
【００１１】
この仕切材は、第１水平仕切部および第２水平仕切部によって、外箱内を垂直方向に３段に区画することができる。また、これら垂直方向に空間を、垂直仕切部によって水平方向に区画することができる。そのため、一枚のブランクを折り曲げることにより、外箱内を水平方向および垂直方向に区画できる。しかも、連続部の高さや垂直仕切部の位置を変更することにより、収容する商品の大きさに応じた収容空間を形成することができる。また、連続部と第２水平仕切部との間に、略倒Ｕ字形状をなすように、更に水平仕切部と連続部とを介設することにより、垂直方向を更に複数段に区画できる。そのため、種々の商品を収容可能とするための汎用性を具備させることができる。
【００１２】
この仕切材では、前記連続部を、前記第１水平仕切部の両側に連設するとともに、前記垂直仕切部を、一対の前記連続部の一側にそれぞれ連設し、組付状態で一対の前記垂直仕切部を１つの前記貫通孔に貫通させることにより、これら垂直仕切部間に垂直方向に延びる空間を更に区画することが好ましい。
【００１３】
この場合、前記垂直仕切部に通気孔を更に設けることが好ましい。このようにすれば、垂直方向に延びる収容空間に、保冷剤、蓄熱剤、または、植物の生理活性を抑える鮮度保持剤などの機能性剤を収容させることにより、この機能性剤が発する機能性ガス（冷気、暖気、生理活性抑制ガス）を通気孔を通して、収容した商品に供給することができる。また、機能性剤はガスを放出するものに限られず、湿気を吸着する除湿剤や、原紙から発せられる硫化水素などを吸着するガス吸着剤などを使用することも可能ある。そして、この機能性剤は、外箱の中間部分に収容させる構成になるため、両側に位置する収容空間に均等に供給、または、収容空間から均等に吸収される。その結果、収容した商品を希望に応じた保管状態に維持できる。
【００１４】
また、前記外箱の底壁の側に位置する前記第１または第２水平仕切部の両端に、前記底壁上に載置する枠部を更に連設することが好ましい。このようにすれば、垂直方向において、最も下側に位置する収容空間を仕切るための耐圧強度を向上できる。
【発明の効果】
【００１５】
本発明の仕切材では、一枚のブランクを折り曲げることにより、外箱内を水平方向および垂直方向に区画できる。しかも、連続部の高さや垂直仕切部の位置を変更したり、第１および第２水平仕切部の間に更に水平仕切部を介設したりすることにより、収容空間の大きさや数を容易に変更できる。そのため、大きさが異なる種々の商品を区画して収容可能とする仕切材として、汎用性を具備させることができる。
【発明を実施するための最良の形態】
【００１６】
以下、本発明の実施の形態を図面に従って説明する。
【００１７】
図１から図３は、本発明の第１実施形態に係る仕切材１０を適用した包装箱を示す。この包装箱は、直方体形状をなす外箱１と、該外箱１の内部に配置して各商品間を仕切る仕切材１０とからなり、この仕切材１０で外箱１内を水平方向および垂直方向に沿って複数の空間に区画し、その区画された収容空間に所定の商品を収容させるものである。これら外箱１および仕切材１０は、一対の表紙と裏紙との間に波状の中しんを配設した段ボール紙を、周知の紙器打抜装置によって打ち抜いて成形される。
【００１８】
まず、外箱１は、外周部を囲繞する周壁２と、この周壁２の底を閉塞する底壁３とを備えている。周壁２は、図中左右横方向に連続した４面の側壁２Ａ〜２Ｄからなり、その一端の側壁２Ａには、他端の側壁２Ｄに貼着するための糊代部（図示せず）が連設されている。底壁３は、各側壁２Ａ〜２Ｄの下端縁に連設した下フラップ３Ａ〜３Ｄからなる。なお、本実施形態の外箱１には、側壁２Ａ〜２Ｄの各上端縁に天壁４を構成する上フラップ４Ａ〜４Ｄが連設されている。また、本実施形態では、外箱１の内部を垂直方向に３段に区画し、それぞれの段に商品を収容する目的から、側壁２Ａ〜２Ｄの全高を収容する商品の全高の３倍の寸法より若干大きく形成されている。
【００１９】
前記仕切材１０は、連続した一枚のブランクからなり、所定部位を折り曲げた状態で外箱１内に組み付けることにより、外箱１内を水平方向に２区画で垂直方向に３段に区画するとともに、中央に垂直方向に延びる収容空間を更に区画するものである。
【００２０】
具体的には、仕切材１０のブランクは、図４に示すように、底壁３と略同一の矩形状をなす第１水平仕切部１１を中央に備えている。この第１水平仕切部１１は、図中左右方向の幅が外箱１の短尺な側壁２Ａ，２Ｃにかけて延び、底壁３と所定間隔をもって平行に延びるように配置される。この第１水平仕切部１１の中央には、図中上下方向である両端近傍にかけて延びる矩形状の貫通孔１２が設けられている。
【００２１】
前記第１水平仕切部１１には、図中左右方向である両側に、組付状態で側壁２Ａ，２Ｃに沿って垂直方向に延びる一対の連続部１３Ａ，１３Ｂが連設されている。これら連続部１３Ａ，１３Ｂの左右方向の幅は、収容する商品の全高より僅かに高くなる寸法で形成されている。そして、第１水平仕切部１１と連続部１３Ａ，１３Ｂとの各境界部分には折曲線１４が設けられている。この折曲線１４は、第１水平仕切部１１に対して連続部１３Ａ，１３Ｂを屈曲させた際に、段ボール紙自身が有する腰による反発力を低減するために、肉厚を圧縮するように罫を入れて形成した罫線に沿って、ミシン目状をなすように所定間隔をもって切断線を設けたリード罫により構成している。
【００２２】
前記連続部１３Ａ，１３Ｂには、第１水平仕切部１１との連続側と反対の一側に一対の第２水平仕切部１５Ａ，１５Ｂが連設されている。これら第２水平仕切部１５Ａ，１５Ｂは、組付状態で連続部１３Ａ，１３Ｂに対して内向きに屈曲されることにより、第１水平仕切部１１と平行に延び、互いの先端縁が中央で突き合う寸法で形成されている。そして、これら連続部１３Ａ，１３Ｂと第２水平仕切部１５Ａ，１５Ｂとの各境界部分には、前記と同様のリード罫からなる折曲線１６が設けられている。
【００２３】
前記第２水平仕切部１５Ａ，１５Ｂには、連続部１３Ａ，１３Ｂとの連続側と反対の一側に、組付状態で貫通孔１２を貫通して垂直方向に延びる一対の垂直仕切部１７Ａ，１７Ｂが設けられている。これら垂直仕切部１７Ａ，１７Ｂは、第２水平仕切部１５に一部が連続し、他部が分断された回動可能なものである。具体的には、垂直仕切部１７Ａ，１７Ｂは、リード罫からなる一対の折曲線１８，１８と、これら折曲線１８，１８の内端間にかけて設けた第１切断線１９と、前記折曲線１８，１８の外端から第２水平仕切部１５Ａ，１５Ｂの先端にかけて設けた第２切断線２０，２０とで、第２水平仕切部１５Ａ，１５Ｂと区画されている。折曲線１８，１８は、第２水平仕切部１５Ａ，１５Ｂとの連続部分となるもので、折曲線１６に対して平行に位置し、第２水平仕切部１５Ａ，１５Ｂの先端縁から、第１水平仕切部１１の貫通孔１２における図中左右方向の幅の約半分の間隔をあけた位置に設けられている。第１切断線１９は、第２水平仕切部１５Ａ，１５Ｂとの分断部分となるもので、略倒Ｕ形状をなすように折曲線１６の側に向けて迂回するように設けられている。第２切断線２０，２０は、第２水平仕切部１５Ａ，１５Ｂとの分断部分となるもので、互いの間隔が貫通孔１２の図中上下方向の寸法より僅かに小さくなるように設けられている。そして、垂直仕切部１７Ａ，１７Ｂは、第２切断線２０に沿って、第２水平仕切部１５Ａ，１５Ｂの先端縁から更に突出するように設けられている。具体的には、垂直仕切部１７Ａ，１７Ｂは、折曲線１８から先端までの寸法が、連続部１３Ａ，１３Ｂの横方向の寸法、言い換えれば、組付状態での垂直方向の寸法の約２倍になる構成とされている。
【００２４】
前記構成の垂直仕切部１７Ａ，１７Ｂは、組付状態で貫通孔１２を貫通する略先端側半分の領域が、第１水平仕切部１１から突出する第１凸部２１を構成する。また、第１切断線１９により囲繞された内部が、組立状態で第１凸部２１と反対側に位置し、第２水平仕切板部１５Ａ，１５Ｂから突出する第２凸部２２を構成する。さらに、本実施形態の垂直仕切部１７Ａ，１７Ｂには、図中横方向に延び、組付状態では垂直方向に延びる長孔からなる一対の通気孔２３が設けられている。
【００２５】
また、本実施形態では、前記第１水平仕切部１１の図中上下方向に位置する両端には、組付状態で外箱１の側壁２Ｂ，２Ｄに沿って延びる第１枠部２４，２４がそれぞれ連設されている。そして、第１水平仕切部１１と第１枠部２４，２４の各境界部分には、肉厚を圧縮するように罫を入れて形成した罫線からなる折曲線２５が設けられている。さらに、第２水平仕切部１５Ａ，１５Ｂの両端には、組付状態で外箱１の側壁２Ｂ，２Ｄに沿って延びる第２枠部２６Ａ，２６Ａ，２６Ｂ，２６Ｂがそれぞれ連設されている。そして、これらの各境界部分には、前記と同様の罫線からなる折曲線２７が設けられている。なお、これら枠部２６Ａ，２６Ｂは、図中上下方向の幅が、組付状態で水平仕切部１１，１５Ａ，１５Ｂによって区画する垂直方向の高さと略同一寸法となるように形成されている。
【００２６】
次に、前記仕切材１０の使用方法について説明する。
【００２７】
まず、仕切材１０を配置していない外箱１の底壁３に対して、両側の側壁２Ａ，２Ｃに分散するように商品を配置する。ついで、図２に示すように、第１水平仕切部１１に対して第１枠部２４，２４を屈曲させる。また、第１水平仕切部１１に対して連続部１３Ａ，１３Ｂを第１枠部２４，２４とは逆向きに屈曲させる。さらに、第２水平仕切部１５Ａ，１５Ｂに対して第２枠部２６Ａ，２６Ａ，２６Ｂ，２６Ｂを内側に突出するように屈曲させる。この状態で、第１枠部２４，２４の側から外箱１の内部に仕切材１０を挿入する。
【００２８】
これにより、第１枠部２４，２４が外箱１の底壁３に当接し、該底壁３に対して第１水平仕切部１１が所定間隔をもって平行に位置した状態を確実に維持できる。
【００２９】
ついで、外箱１内において、底壁３と平行に延びるように位置する第１水平仕切部１１に対して、前記と同様に両側の側壁２Ａ，２Ｃに分散するように商品を配置する。その後、第２水平仕切部１５Ａ，１５Ｂに対して垂直仕切部１７Ａ，１７Ｂを内向きに屈曲させる。ついで、連続部１３Ａ，１３Ｂに対して第２水平仕切部１５Ａ，１５Ｂを内向きに屈曲させる。その際、先に屈曲させている垂直仕切部１７Ａ，１７Ｂの先端部分である第１凸部２１を、第１水平仕切部１１の貫通孔１２に貫通させる。
【００３０】
これにより、図３に示すように、垂直仕切部１７Ａ，１７Ｂが外箱１の底壁３に対して直交するように挿入され、これら垂直仕切部１７Ａ，１７Ｂが外箱１の底壁３に当接する。また、第２枠部２６Ａ，２６Ａ，２６Ｂ，２６Ｂが第１水平仕切部１１に当接する。その結果、第２水平仕切部１５Ａ，１５Ｂの荷重を、底壁３および第１水平仕切壁に分散し、これらに対して所定間隔をもって平行に位置した状態を確実に維持できる。
【００３１】
最後に、外箱１内において、第２水平仕切部１５Ａ，１５Ｂに対して、前記と同様に両側の側壁２Ａ，２Ｃに分散するように、更に具体的には、第２水平仕切部１５Ａ，１５Ｂから上向きに突出する第２凸部２２，２２と側壁２Ａ，２Ｃとの間に位置するように、商品を配置する。
【００３２】
このようにして、外箱１内を仕切材１０によって水平方向および垂直方向に区画しながら商品を収容させると、垂直仕切部１７Ａ，１７Ｂの間には上方から底壁３まで連通した収容空間が更に区画される。
【００３３】
そして、この収容空間には、例えば保冷剤、蓄熱剤、または、植物の生理活性を抑える鮮度保持剤などの機能性剤を収容させる。または、湿気を吸着する除湿剤や、原紙から発せられる硫化水素などを吸着するガス吸着剤などの機能性剤を収容させる。これにより、この機能性剤が発する機能性ガス（冷気、暖気、生理活性抑制ガス）を通気孔２３を通して収容した商品に供給したり、外箱１内の湿気やガスを吸着したりできる。この際、本実施形態では、垂直仕切部１７Ａ，１７Ｂによる収容空間は、外箱１の中間部分に位置するため、機能性ガスを両側に位置する収容空間に均等に供給したり、収容空間から均等に吸収したりすることができる。その結果、収容した商品を希望に応じた保管状態に維持できる。勿論、この垂直方向に連通する空間には、全高が高い商品を収容させてもよい。
【００３４】
そして、全ての商品を収容させると、外箱１の上フラップ４Ａ，４Ｃを内向きに折り曲げた後、隣接する上フラップ４Ｂ，４Ｄを内向きに折り曲げ、外箱１の上端開口を閉塞する。
【００３５】
このように、本発明の仕切材１０は、第１水平仕切部１１および第２水平仕切部１５Ａ，１５Ｂによって、外箱１内を垂直方向に３段に区画することができる。また、これら垂直方向に空間を、垂直仕切部１７Ａ，１７Ｂによって水平方向に区画することができる。そのため、一枚のブランクを折り曲げることにより、外箱１内を水平方向および垂直方向に区画できる。
【００３６】
しかも、連続部１３Ａ，１３Ｂの高さや垂直仕切部１７Ａ，１７Ｂの位置を変更することにより、収容する商品の大きさに応じた収容空間を形成することができる。そのため、種々の商品を収容可能とするための汎用性を具備させることができる。
【００３７】
また、本実施形態では、各水平仕切部１１，１５Ａ，１５Ｂには、底壁３または第１水平仕切壁に当接する枠部２４，２６Ａ，２６Ｂを連設しているため、各水平仕切部１１，１５Ａ，１５Ｂの垂直方向の耐圧強度を向上できる。
【００３８】
図５および図６は、本発明の第２実施形態の仕切材１０を示す。この第２実施形態は、第１実施形態では第１および第２水平仕切部１１，１５Ａ，１５Ｂによって外箱１内を垂直方向に３段に区画したのに対し、第１水平仕切部１１と第２水平仕切部１５Ａ，１５Ｂとの間に、それぞれ第３および第４水平仕切部２８Ａ，３１Ａ，２８Ｂ，３１Ｂを更に介設することにより、外箱１内を垂直方向に５段に区画できるようにした点で、第１実施形態と相違している。
【００３９】
具体的には、第２実施形態の仕切材１０のブランクは、図６に示すように、まず、第１実施形態と同様に、第１枠部２４を備えた第１水平仕切部１１の両側に、折曲線１４を介して第１の連続部１３Ａ，１３Ｂが連設されている。
【００４０】
そして、前記第１の連続部１３Ａ，１３Ｂには、第１水平仕切部１１と反対の一側に第３水平仕切部２８Ａ，２８Ｂが折曲線１６を介して連設されている。これら第３水平仕切部２８Ａ，２８Ｂは、組付状態で中央に向けて屈曲されるもので、この中央部分でその先端が互いに突き合う寸法で形成されている。
【００４１】
前記第３水平仕切部２８Ａ，２８Ｂには、第１の連続部１３Ａ，１３Ｂと反対の一側に第２連続部２９Ａ，２９Ｂが連設され、その境界部分にリード罫からなる折曲線３０が設けられている。これら第２連続部２９Ａ，２９Ｂの図中左右方向の幅は、第１の連続部１３Ａ，１３Ｂの幅と同一寸法で形成されている。
【００４２】
前記第２連続部２９Ａ，２９Ｂには、第３水平仕切部２８Ａ，２８Ｂと反対の一側に第４水平仕切部３１Ａ，３１Ｂが連設され、その境界部分にリード罫からなる折曲線３２が設けられている。これら第４水平仕切部３１Ａ，３１Ｂは、組付状態で外側に向けて屈曲されるもので、その図中左右方向の幅が第１水平仕切部１１の約半分の寸法で形成されている。
【００４３】
前記第４水平仕切部３１Ａ，３１Ｂには、第２連続部２９Ａ，２９Ｂと反対の一側に第３連続部３３Ａ，３３Ｂが連設され、その境界部分にリード罫からなる折曲線３４が設けられている。これら第３連続部３３Ａ，３３Ｂの図中左右方向の幅は、第１の連続部１３Ａ，１３Ｂの幅と同一寸法で形成されている。
【００４４】
そして、前記第３連続部３３Ａ，３３Ｂには、第４水平仕切部３１Ａ，３１Ｂと反対の一側に第１実施形態と同様の第２水平仕切部１５Ａ，１５Ｂが連設され、その境界部分に折曲線３５が設けられている。
【００４５】
前記第２水平仕切部１５Ａ，１５Ｂには、第３連続部３３Ａ，３３Ｂと反対の一側に第１実施形態と同様に垂直仕切部１７Ａ，１７Ｂが、折曲線１８、および、切断線１９，２０により区画された状態で連設されている。そして、これら第２水平仕切部１５Ａ，１５Ｂは、第１実施形態では左右方向の幅を２段分の高さと略同一寸法で形成したのに対し、第２実施形態では図中左右方向の幅を４段分の高さと略同一寸法で形成している。
【００４６】
なお、第３水平仕切部２８Ａ，２８Ｂには、その上下端に第２水平仕切部１５Ａ，１５Ｂと同様に、第３枠部３６Ａ，３６Ｂが連設され、その境界部分に折曲線３７が設けられている。同様に、第４水平仕切部３１Ａ，３１Ｂには第４枠部３８Ａ，３８Ｂが連設され、その境界部分に折曲線３９が設けられている。
【００４７】
さらに、第２連続部２９Ａ，２９Ｂには、図中上下方向である両端近傍にかけて延びる矩形状の第２の貫通孔４０Ａ，４０Ｂが設けられている。これら第２の貫通孔４０Ａ，４０Ｂは、組付状態で第１水平仕切部１１の貫通孔１２に上下に対応するもので、その図中左右方向の幅は、両側の第３および第４水平仕切部２８Ａ，３１Ａ，２８Ｂ，３１Ｂ内にかけて延びるように設けられている。そして、第１水平仕切部１１の側に位置する縁と折曲線３０との間隔、および、第２水平仕切部１５Ａ，１５Ｂの側に位置する縁と折曲線３２との間隔は、貫通孔１２の左右方向の幅の約半分の寸法に設定されている。
【００４８】
このように構成した第２実施形態の仕切材１０は、第１水平仕切部１１に対して第１の連続部１３Ａ，１３Ｂを屈曲させ、これら第１の連続部１３Ａ，１３Ｂに対して第３水平仕切部２８Ａ，２８Ｂを内向きに屈曲させる。ついで、これら第３水平仕切部２８Ａ，２８Ｂに対して第２連続部２９Ａ，２９Ｂを屈曲させ、これら第２連続部２９Ａ，２９Ｂに対して第４水平仕切部３１Ａ，３１Ｂを外向きに屈曲させる。その後、これら第４水平仕切部３１Ａ，３１Ｂに対して第３連続部３３Ａ，３３Ｂを屈曲させ、これら第３連続部３３Ａ，３３Ｂに対して第２水平仕切部１５Ａ，１５Ｂを内向きに屈曲させるとともに、これら第２水平仕切部１５Ａ，１５Ｂに対して垂直仕切部１７Ａ，１７Ｂを更に内向きに屈曲させる。
【００４９】
これにより、図５に示すように、垂直方向に延びる一対の垂直仕切部１７Ａ，１７Ｂと、水平方向に延びる４面の水平仕切部１１，１５Ａ，１５Ｂ，２８Ａ，２８Ｂ，３１Ａ，３１Ｂとで、外箱１内を垂直方向に５段で、水平方向に３区画の収容空間に、区画することができる。言い換えれば、本発明の仕切材１０は、水平方向に延びる仕切部を希望に応じて容易に増設することができるため、種々の商品を大きさに応じて変形して収容可能したり、区画数をも容易に変更したりできる。
【００５０】
図７および図８は第３実施形態の仕切材１０を示す。この仕切材１０は、第１実施形態では垂直仕切部１７Ａ，１７Ｂによって外箱１内を水平方向に３区画したのに対し、大きさが異なるように更に複数区画できるようにした点で、第１実施形態と相違している。
【００５１】
具体的には、第３実施形態の仕切材１０のブランクは、図８に示すように、上下に第１枠部２４を有する図中左右方向の幅が広い第１水平仕切部１１を備えている。そして、この第１水平仕切部１１には、左側に位置するように前記と同様の貫通孔１２が設けられ、その右側に所定間隔をもって図中左右方向に延びる矩形状の貫通孔４１が更に上下に一対設けられている。
【００５２】
前記第１水平仕切部１１の両側には、折曲線１４を介して連続部１３Ａ，１３Ｂが連設されるとともに、これら連続部１３Ａ，１３Ｂに折曲線１６を介して第２枠部２６Ａ，２６Ｂを有する第２水平仕切部１５Ａ，１５Ｂが連設されている。そのうち、左側に位置する第２水平仕切部１５Ａは、第１実施形態と同様に形成され、組立状態で貫通孔４１と上下に対応する右側の第２水平仕切部１５Ｂは、第１水平仕切部１１と同様に長尺に形成されている。
【００５３】
そして、これら第２水平仕切部１５Ａ，１５Ｂには、連続部１３Ａ，１３Ｂと反対の一側に垂直仕切部１７Ａ，１７Ｂが、折曲線１８、および、切断線１９，２０により区画された状態で連設されている。
【００５４】
また、第２水平仕切部１５Ｂには、該第２水平仕切部１５Ｂに一部が連続し、他部が分断された回動可能な切起構造の第２垂直仕切部４２Ａ，４２Ｂが更に設けられている。これら第２垂直仕切部４２Ａ，４２Ｂは、リード罫からなる一対の折曲線４３，４３と、これら折曲線４３，４３の内端間にかけて設けた第１切断線４４と、前記折曲線４３，４３の外端から中央に向けて左右に延びる第２切断線４５，４５と、これら第２切断線４５，４５から中央に向けて上下に延びる第３切断線４６，４６と、これら第３切断線４６，４６から第１切断線４４に向けて折り返すように左右に延びる第４切断線４７，４７と、これら第４切断線４７，４７の端部を接続するように設けた第５切断線４８とで、第２水平仕切部１５Ａ，１５Ｂと区画されている。そのうち、折曲線４３は、第２水平仕切部１５Ａ，１５Ｂとの連続部分となり、他の切断線４４〜４８は、第２水平仕切部１５Ａ，１５Ｂとの分断部分となる。また、第２切断線４５から第４切断線４７で囲繞された内部は、貫通孔４１を貫通して第１水平仕切部１１から突出する第１凸部４９を構成する。さらに、第１切断線４４により囲繞された内部は、第２水平仕切部１５Ｂから突出する第２凸部５０を構成する。
【００５５】
このように構成した第３実施形態の仕切材１０は、第１水平仕切部１１に対して連続部１３Ａ，１３Ｂを屈曲させ、これら連続部１３Ａ，１３Ｂに対して第２水平仕切部１５Ａ，１５Ｂを屈曲させるとともに、第２水平仕切部１５Ａ，１５Ｂに対して第１の垂直仕切部１７Ａ，１７Ｂを屈曲させる。そして、更に第２水平仕切部１５Ｂに対して第２垂直仕切部４２Ａ，４２Ｂを屈曲させ、第１凸部４９を貫通孔４１に貫通させる。
【００５６】
これにより、図７に示すように、垂直方向に延びる４枚の垂直仕切部１７Ａ，１７Ｂ，４２Ａ，４２Ｂと、水平方向に延びる２面の水平仕切部１１，１５Ａ，１５Ｂとで、外箱１内を垂直方向に３段で、水平方向に５区画の収容空間に、区画することができる。この実施形態からも解るように、本発明の仕切材１０は、種々の商品を大きさに応じて変形して収容可能したり、区画数をも容易に変更したりできる。
【００５７】
なお、本発明の仕切材１０は、前記実施形態の構成に限定されるものではなく、種々の変更が可能である。
【００５８】
例えば、前記各実施形態では、第１凸部２１の側が外箱１の底壁３に位置するように該外箱１に組み付けたが、第２凸部２２を垂直方向に区画した１段分の突出量で形成し、各枠部２４，２６Ａ，２６Ｂを前記各実施形態と逆向きに屈曲させることにより、外箱１の底壁３に対して第２凸部２２が当接するように組み付けてもよい。
【００５９】
また、各実施形態では、水平仕切部１１，１５Ａ，１５Ｂと連続部１３Ａ，１３Ｂとを直接的に連設したが、各水平仕切部１１，１５Ａ，１５Ｂと連続部１３Ａ，１３Ｂとの間に斜めに傾斜する面取部を設けた構成としてもよい。勿論、水平仕切部１１，１５Ａ，１５Ｂと枠部２４，２６Ａ，２６Ｂとの間にも同様の面取部を設けてもよい。
【００６０】
因みに、本発明の仕切材１０を収容する外箱１は、上フラップ４Ａ〜４Ｄからなる天壁４を有する構成としたが、この天壁４を設けていないトレイ状のものであってもよい。
【図面の簡単な説明】
【００６１】
【図１】本発明の仕切材を適用した包装箱の分解斜視図である。
【図２】外箱への組付工程を示す断面図である。
【図３】外箱への組付状態を示す断面図である。
【図４】第１実施形態の仕切材のブランクを示す平面図である。
【図５】第２実施形態の仕切材の斜視図である。
【図６】第２実施形態の仕切材のブランクを示す平面図である。
【図７】第３実施形態の仕切材の斜視図である。
【図８】第３実施形態の仕切材のブランクを示す平面図である。
【符号の説明】
【００６２】
１…外箱
２…周壁
３…底壁
１０…仕切材
１１…第１水平仕切部
１２…貫通孔
１３Ａ，１３Ｂ…連続部
１５Ａ，１５Ｂ…第２水平仕切部
１７Ａ，１７Ｂ…垂直仕切部
２１…第１凸部
２２…第２凸部
２３…通気孔
２４…第１枠部
２６Ａ，２６Ｂ…第２枠部
２８Ａ，２８Ｂ…第３水平仕切部
２９Ａ，２９Ｂ…第２連続部
３１Ａ，３１Ｂ…第４水平仕切部
３３Ａ，３３Ｂ…第３連続部
３６Ａ，３６Ｂ…第３枠部
３８Ａ，３８Ｂ…第４枠部
４０Ａ，４０Ｂ…第２の貫通孔
４１…貫通孔
４２Ａ，４２Ｂ…第２垂直仕切部
４９…第１凸部
５０…第２凸部
【図１】
2008150055.tif 000003
【図２】
2008150055.tif 000004
【図３】
2008150055.tif 000005
【図４】
2008150055.tif 000006
【図５】
2008150055.tif 000007
【図６】
2008150055.tif 000008
【図７】
2008150055.tif 000009
【図８】
2008150055.tif 000010